(57)【要約】【課題】ディスプレイの特定の表示・操作領域のコンテンツを、部分的に拡大・縮小することができ、テキストの編集・操作を実行することを容易にする。【解決手段】ディスプレイのスクリーンをズーム領域と通常領域とに定義するステップと、通常領域に表示されるビデオ・データを読み出し、通常領域に対応するビデオメモリの通常データ・メモリブロックに格納し、スクリーンのズーム領域に表示されるビデオ・データを読み出し、ズーム処理を実行し、ズーム処理したビデオ・データを、ビデオメモリのズームデータ・メモリブロックに格納するステップと、通常データ・メモリブロックとズームデータ・メモリブロックに格納されたビデオ・データを読み、ディスプレイに送るステップと、を含むことを特徴とするディスプレイのスクリーンの部分的なズーミングの方法と、その方法を適用する装置を提供する。【選択図】図２
2010039491.tif 000002
【特許請求の範囲】
【請求項１】
ディスプレイ（１０）のスクリーン（３０、４０）の部分的なズーミングをコントロールすることができる電子デバイスであって、
ビデオメモリ（１３）と、
表示されるビデオ・データを格納するためのビデオ・データ・バッファ装置（１１）と、
ディスプレイ（１０）の一部のスクリーン（３０、４０）をズーム領域（３１、１９１）と、残りのスクリーン（３０、４０）を通常領域（３２、３３；１９２、１９３）と定義し、通常領域（３２、３３；１９２、１９３）に表示されるビデオ・データを前記ビデオ・データ・バッファ装置（１１）から読み出し、前記読み出されたビデオ・データを、前記通常領域（３２、３３；１９２、１９３）に対応する前記ビデオメモリ（１３）の通常データ・メモリブロックに格納し、さらに、ズーム領域（３１、１９１）に表示されるビデオ・データを前記ビデオ・データ・バッファ装置（１１）から読み出し、ズーム領域（３１、１９１）に表示されるビデオ・データのズーム処理を実行し、
前記ズーム処理したビデオ・データを前記ズーム領域（３１、１９１）に対応する前記ビデオメモリ（１３）のズームデータ・メモリブロック（１１３、２６３）に格納するＣＰＵ（中央処理装置）（１２）と、
前記ビデオメモリ（１３）の通常データ・メモリブロックとズームデータ・メモリブロック（１１３、２６３）に格納されたビデオ・データを読み、該読まれたビデオ・データを表示するために前記ディスプレイ（１０）に送るビデオ処理装置（１４）と、を備えることを特徴とする電子デバイス。
【請求項２】
前記ズーム領域（３１、１９１）は、通常領域（３２、３３；１９２、１９３）が上部通常領域（３２、１９２）と下部通常領域（３３、１９３）に分けられるように、ディスプレイ（１０）のスクリーン（３０、４０）の中央に位置することを特徴とする、請求項１に記載の電子デバイス。
【請求項３】
前記ビデオメモリ（１３）が、順次、連続して配列される、
前記上部通常領域（３２、１９２）に表示されるビデオ・データを格納するための第１メモリブロック（１３１、２１１）と、
前記ズーム領域（３１、１９１）に表示されるビデオ・データを格納するための第２メモリブロック（１３２、２１２）と、
前記下部通常領域（３３、１９３）に表示されるビデオ・データを格納するための第３メモリブロック（１３３、２１３）と、をみ、
前記通常データ・メモリブロックは、前記第１および第３メモリブロック（１３１、１３３；２１１、２１３）を含み、
前記ズームデータ・メモリブロック（１１３、２６３）は、前記第２メモリブロック（１３２、２１２）を含み、
前記ビデオ処理装置（１４）は、前記第１メモリブロック（１３１、２１１）から前記ビデオ・データを読み、
前記第２メモリブロック（１３２、２１２）と前記第３メモリブロック（１３３、２１３）とが、順に、読まれた前記ビデオ・データを、前記ディスプレイ（１０）に送る、ことを特徴とする請求項２に記載の電子デバイス。
【請求項４】
前記ズームデータ・メモリブロック（１１３、２６３）は、通常データ・メモリブロックの後ろに位置し、
前記通常データ・メモリブロックは、前記上部通常領域（３２、１９２）に表示されるビデオ・データを格納するための第１メモリブロック（１１１、２６１）と前記下部通常領域（３３、１９３）に表示されるビデオ・データを格納するための第２メモリブロック（１１２、２６２）とを含み、
前記第１および第２メモリブロック（１１１、１１２；２６１、２６２）は、ズームデータ・メモリのサイズと等しいサイズ（１１３、２６３）の空白メモリスペース（１１５、２６５）によって分離され間隔があいている、ことを特徴とする、請求項２に記載の電子デバイス。
【請求項５】
前記ＣＰＵ（１２）は、第３メモリブロック（１１４、２６４）に、前記ビデオメモリ（１３）の前記第２メモリブロック（１１２、２６２）と前記ズームデータ・メモリブロック（１１３、２６３）の間に位置するウィンドウ・データを格納し、前記ウィンドウ・データが、前記ビデオ処理装置（１４）に読まれ、前記スクリーン（３０、４０）上に表示するために前記ディスプレイ（１０）に送られるときに、ズーム・ウィンドウ（１２４、２７２）が、前記ディスプレイ（１０）の前記スクリーン（３０、４０）の前記ズーム領域（３１、１９１）に生成され、
前記ビデオ処理装置（１４）は、ビデオ・データを前記通常データ・メモリブロックと、第３メモリブロック（１１４、２６４）とズームデータ・メモリブロック（１１３、２６３）とから順番に読み、読んだビデオ・データを表示するために前記ディスプレイ（１０）に送る、ことを特徴とする請求項４に記載の電子デバイス。
【請求項６】
前記電子デバイスがノート・パソコン（１００）であり、ディスプレイ（１０）が前記ノート・パソコン（１００）のディスプレイである、ことを特徴とする、請求項１に記載の電子デバイス。
【請求項７】
ディスプレイ（１０）のスクリーン（３０、４０）の部分的なズーミングの方法であって、
（ａ）前記ディスプレイ（１０）の一部のスクリーン（３０、４０）をズーム領域（３１、１９１）と、残りのスクリーン（３０、４０）を通常領域（３２、３３；１９２、１９３）と定義するステップと、
（ｂ）前記スクリーン（３０、４０）の前記通常領域（３２、３３；１９２、１９３）に表示されるビデオ・データを読み出し、前記ビデオ・データを前記通常領域（３２、３３；１９２、１９３）に対応するビデオメモリ（１３）の通常データ・メモリブロックに格納し、更に、前記スクリーン（３０、４０）の前記ズーム領域（３１、１９１）に表示されるビデオ・データを読み出し、該読み出したビデオ・データのズーム処理を実行し、そして、前記ズーム処理したビデオ・データを、前記ズーム領域（３１、１９１）に対応するビデオメモリ（１３）のズームデータ・メモリブロック（１１３、２６３）に格納するステップと、
（ｃ）前記ビデオメモリ（１３）の通常データ・メモリブロックとズームデータ・メモリブロック（１１３、２６３）に格納された前記ビデオ・データを読み、該読んだビデオ・データを、表示するために、ディスプレイ（１０）に送るステップと、を含むことを特徴とする方法。
【請求項８】
前記ズーム領域（３１、１９１）は、前記通常領域（３２、３３；１９２、１９３）が上部通常領域（３２、１９２）と下部通常領域（３３、１９３）に分けられるように、ディスプレイ（１０）のスクリーン（３０、４０）の中央に位置すること、を特徴とする、請求項７に記載のディスプレイ（１０）のスクリーン（３０、４０）の部分的なズーミングの方法。
【請求項９】
ステップ（ｂ）において、
前記ビデオメモリ（１３）は、順次、連続して配列される、前記上部通常領域（３２、１９２）に表示される前記ビデオ・データを格納するための第１メモリブロック（１３１、２１１）と、前記ズーム領域（３１、１９１）に表示されるビデオ・データを格納するための第２メモリブロック（１３２）と、前記下部通常領域（３３、１９３）に表示されるビデオ・データを格納するための第３メモリブロック（１３３）を含み、
前記通常データ・メモリブロックは、前記第１および第３メモリブロック（１３１、１３３）を含み、
前記ズームデータ・メモリブロック（１１３、２６３）は前記第２メモリブロック（１３２）を含み、
前記第１メモリブロック（１３１、２１１）と、前記第２メモリブロック（１３２）と前記第３メモリブロック（１３３）のビデオ・データは、順番に読まれて、ディスプレイ（１０）に送られる、ことを特徴とする、請求項８に記載のディスプレイ（１０）のスクリーン（３０、４０）の部分的なズーミングの方法。
【請求項１０】
ステップ（ｂ）において、
前記ズームデータ・メモリブロック（１１３、２６３）は、前記通常データ・メモリブロックの後ろに位置し、
前記通常データ・メモリブロックは、前記上部通常領域（３２、１９２）に表示されるビデオ・データを格納するための第１メモリブロック（１１１、２６１）と前記下部通常領域（３３、１９３）に表示されるビデオ・データを格納するための第２メモリブロック（１１２、２６２）とを含み、
前記第１および第２メモリブロック（１１１、１１２；２６１、２６２）は、ズームデータ・メモリのサイズと等しいサイズ（１１３、２６３）の空白メモリスペース（１１５、２６５）によって分離され間隔があいている、ことを特徴とする、請求項８に記載のディスプレイ（１０）のスクリーン（３０、４０）の部分的なズーミングの方法。
【請求項１１】
ステップ（ｂ）において、
ウィンドウ・データが、さらに、前記ビデオメモリ（１３）の第２メモリブロック（１１２、２６２）とズームデータ・メモリブロック（１１３、２６３）との間に位置する第３メモリブロック（１１４、２６４）に格納され、
前記ウィンドウ・データは、ズーム・ウィンドウ（１２４、２７２）が前記ディスプレイ（１０）の前記スクリーン（３０、４０）の前記ズーム領域（３１、１９１）に生成されるように、前記スクリーン（３０、４０）上に表示するために、読まれて前記ディスプレイ（１０）に送られ、
前記通常データ・メモリブロックと、前記第３メモリブロック（１１４、２６４）と前記ズームデータ・メモリブロック（１１３、２６３）のビデオ・データが、順番に読まれて、表示するために前記ディスプレイ（１０）に送られる、ことを特徴とする、請求項１０に記載のディスプレイ（１０）のスクリーン（３０、４０）の部分的なズーミングの方法。
【発明の詳細な説明】
【技術分野】
【０００１】
本発明は、ディスプレイ・スクリーン上に表示する方法に関し、特に、ディスプレイのスクリーンを部分的にズームする方法、および、その方法を適用する電子デバイスに関するものである。
【背景技術】
【０００２】
〔関連技術の説明〕
最新世代のノート・パソコンは、従来のノート・パソコンと、液晶ディスプレイのサイズと解像度において異なる。従来のノート・パソコンの液晶ディスプレイは、一般に１０２４×７６８ピクセルの解像度を有するが、それに対して、最新のノート・パソコンは、１６００×６００ピクセルの解像度を持つ液晶ディスプレイを有しており、ユーザーにノート・パソコンの新しい使用方法を提供している。最新のワイドスクリーン液晶ディスプレイは、左右に広く、上下に狭く、かつ、より高い解像度を持っているため、２つの隣接するピクセル間のピッチが従来の液晶ディスプレイと比較すると小さくなっているので、表示された文字がより小さく微細になる。ユーザーが文書を閲覧または編集する場合には、あまりに小さい文字をスクリーンで見ることで、目に負担を感じることがある。これによって、文書の閲覧や編集操作に悪影響を与え得る。
【０００３】
従って、もし、上述のワイドスクリーン・ディスプレイまたは従来のディスプレイでも、特定の表示領域または編集（操作）領域に表示されるコンテンツを、部分的に拡大することができて、テキストの編集または操作をスクリーンを通して実行することがより簡単になるようにすることで、ユーザーが特定の表示領域や編集領域のコンテンツを、明瞭に気持ちよく読むことができるならば、前述のワイドスクリーン・ディスプレイや、例えば前述のワイドスクリーン・ディスプレイを有するノート・パソコンなど電子デバイスの使用を促進、普及させることができる。
【先行技術文献】
【特許文献】
【０００４】
【特許文献１】米国特許第７３２７９３２号明細書
【発明の概要】
【０００５】
従って、本願発明の目的は、ユーザーが容易に閲覧や操作をできるように、ディスプレイのスクリーンの特定領域を適切にズーミングするのに用いることができる、ディスプレイのスクリーンを部分的にズームする方法を提供すること、、および、その方法を適用する電子デバイスを提供することである。
【０００６】
本願発明のディスプレイのスクリーンを部分的にズームする方法は、
（ａ）ディスプレイの一部のスクリーンをズーム領域と、残りのスクリーンを通常領域と定義すること、
（ｂ）スクリーンの通常領域に表示されるビデオ・データを読み出し、ビデオ・データを通常領域に対応するビデオメモリの通常データ・メモリブロックに格納し、更に、スクリーンのズーム領域に表示されるビデオ・データを読み出し、読み出されたビデオ・データのズーム処理を実行し、そして、ズーム処理したビデオ・データをズーム領域に対応するビデオメモリのズームデータ・メモリブロックに格納すること、
（ｃ）ビデオメモリの通常データ・メモリブロックとズームデータ・メモリブロックに格納されたビデオ・データを読み、そして、この読まれたビデオ・データを、表示するためにディスプレイ送ること、を含む。
【０００７】
本願発明の前述の方法を実現する電子デバイスは、ディスプレイのスクリーンの部分的なズーミングをコントロールすることができる。この電子デバイスは、ビデオメモリ、表示されるビデオ・データを格納するためのビデオ・データ・バッファ装置、ＣＰＵ、および、ビデオ処理装置を含む。ＣＰＵは、ディスプレイの一部のスクリーンをズーム領域と、残りのスクリーンを通常領域と定義し、通常領域に表示されるビデオ・データをビデオ・データ・バッファ装置から読み出し、読み出されたビデオ・データを通常領域に対応するビデオメモリの通常データ・メモリブロックに格納し、更に、ズーム領域に表示されるビデオ・データをビデオ・データ・バッファ装置から読み出し、ズーム領域に表示されるビデオ・データのズーム処理を実行し、そして、ズーム処理したビデオ・データを、ズーム領域に対応したビデオメモリのズームデータ・メモリブロックに格納する。ビデオ処理装置は、ビデオメモリの通常データ・メモリブロックとズームデータ・メモリブロックに格納されたビデオ・データを読み、そして、この読まれたビデオ・データを、表示するためにディスプレイに送る。
【０００８】
好ましくは、通常領域が上部通常領域と下部通常領域に分けられるように、ズーム領域はディスプレイのスクリーンの中央の位置の近くに位置する。
【０００９】
好ましくは、ビデオメモリは、順次、連続して配列される、上部通常領域に表示されるビデオ・データを格納するための第１メモリブロックとズーム領域に表示されるビデオ・データを格納するための第２メモリブロック、および、下部通常領域に表示されるビデオ・データを格納するための第３メモリブロックとを含み、通常データ・メモリブロックは、第１および第３メモリブロックを含み、そして、ズームデータ・メモリブロックは、第２メモリブロックを含む。ビデオ処理装置は、ビデオ・データを、第１メモリブロックと、第２メモリブロックと、第３メモリブロックから順番に読み、この読んだビデオ・データをディスプレイに送る。
【００１０】
好ましくは、ズームデータ・メモリブロックは、通常データ・メモリブロックの後ろに位置する。通常データ・メモリブロックは、上部通常領域に表示されるビデオ・データを格納するための第１メモリブロックと、下部通常領域に表示されるビデオ・データを格納するための第２メモリブロックとを含む。第１および第２メモリブロックは、ズームデータ・メモリのサイズと等しいサイズの空白メモリスペースによって、分離され間隔があいている。
【００１１】
好ましくは、ＣＰＵは、ウィンドウ・データを、ビデオメモリの第２メモリブロックとズームデータ・メモリブロックとの間に位置する第３メモリブロックに格納する。ウィンドウ・データがビデオ処理装置によって読まれ、スクリーンの上に表示するためにディスプレイに送られるときに、ズーム・ウィンドウが、ディスプレイのスクリーンのズーム領域に生成される。ビデオ処理装置は、通常データ・メモリブロックと、第３メモリブロックと、ズームデータ・メモリブロックとから、順番に、ビデオ・データを読み、読んだビデオ・データを、表示するためにディスプレイに送る。
【００１２】
好ましくは、電子デバイスはノート・パソコンであり、ディスプレイはノート・パソコンのディスプレイである。
【図面の簡単な説明】
【００１３】
本願発明の他の特徴および効果は、以下の添付の図面を参照した好適な実施形態の詳しい説明で明らかになる。
【図１】本願発明による電子デバイスの第１の好適な実施形態の回路ブロック図である。
【図２】第１の好適な実施形態の電子デバイスによって実行される部分的ズームイン・プロセスを示すフローチャートである。
【図３】第１の好適な実施形態による部分的ズームインが行われるより前のディスプレイのスクリーンの概要図である。
【図４】図３のスクリーン上に表示されるデータに対応したビデオ・データのコンテンツが、ビデオメモリにどのように格納されるかについて説明する概要図である。
【図５】第１の好適な実施形態にしたがい、スクリーンがどのようにズームイン領域と通常領域とに定義されるかについて説明する概要図である。
【図６】第１の好適な実施形態にしたがい、スクリーンのズームイン領域と通常領域に対応するビデオ・データのコンテンツが、どのようにビデオメモリに格納されるかについて説明する概要図である。
【図７】第１の好適な実施形態にしたがい、ビデオ・データが、どのように一部のデータをズームインしてスクリーン上に表示されるかについて説明する概要図である。
【図８】第１の好適な実施形態にしたがい、ビデオメモリに格納されたビデオ・データのコンテンツが、スクリーンのズームイン領域のデータの変化に応じて、どのように相対的に変化するのかを説明する概要図である。
【図９】第１の好適な実施形態にしたがい、スクリーンのズームイン領域に表示されるデータの変化を図示する概要図である。
【図１０】本願発明の第２の好適な実施形態による電子デバイスによって実行される部分的ズームイン・プロセスのフローチャートである。
【図１１】第２の好適な実施形態にしたがい、図５に示されるスクリーンのズームイン領域と通常領域に対応するビデオ・データのコンテンツが、どのようにビデオメモリに格納されるかについて説明する概要図である。
【図１２】第２の好適な実施形態にしたがい、ビデオ・データのコンテンツが、どのようにスクリーンのズームイン領域と通常領域に表示されるかを図示する概要図である。
【図１３】第２の好適な実施形態にしたがい、ビデオ・データのコンテンツが、どのようにスクリーンのズームイン領域と通常領域に表示されるかを図示する概要図である。
【図１４】本願発明による電子デバイスの第３の好適な実施形態の回路ブロック図である。
【図１５】第３の好適な実施形態の電子デバイスのディスプレイのスクリーンの上に、通常の表示条件のもとでは、ビデオ・データのコンテンツの左の部分しか表示することができないことを示す概要図である。
【図１６】図１５のスクリーン上に示されるコンテンツに対応するビデオ・データのコンテンツがビデオメモリに格納されることを示す概要図である。
【図１７】第３の好適な実施形態にしたがって、ビデオ・データ・バッファ装置に格納されたビデオ・データのコンテンツを示す概要図である。
【図１８】第３の好適な実施形態にしたがって、通常の表示条件の下で、ビデオ・データのコンテンツの右側部分だけしか、電子デバイスのディスプレイのスクリーンの上に表示することができないことを示す概要図である。
【図１９】第３の好適な実施形態の電子デバイスによって実行される部分的なズームアウト・プロセスを示すフローチャートである。
【図２０】第３の好適な実施形態の電子デバイスのディスプレイの通常領域とズームアウト領域を図示する概要図である。
【図２１】図２０のスクリーンの通常領域とズームアウト領域に対応するビデオ・データのコンテンツが、どのようにビデオメモリに格納されるかを図示する概要図である。
【図２２】第３の好適な実施形態の電子デバイスのディスプレイ上に表示される一部のビデオ・データのコンテンツが、どのようにズームアウトされるかについて説明する概要図である。
【図２３】第３の好適な実施形態にしたがって、ビデオメモリに格納されたビデオ・データのコンテンツが、スクリーンのズームアウト領域のデータの変化に応じて、どのように相対的に変化するかを図示する概要図である。
【図２４】第３の好適な実施形態にしたがって、スクリーンのズームアウト領域に表示されるデータの変化を図示する概要図である。
【図２５】本願発明による電子デバイスの第４の好適な実施形態によって実行される部分的なズームアウト・プロセスを図示するフローチャートである。
【図２６】第４の好適な実施形態にしたがって、図２０のスクリーンのズームアウト領域と通常領域に対応するビデオ・データのコンテンツが、どのようにビデオメモリに格納されるかを図示する概要図である。
【図２７】第４の好適な実施形態にしたがって、ビデオ・データのコンテンツが、どのようにスクリーンの通常領域とズームアウト領域に表示されるかを図示する概要図である。
【図２８】第４の好適な実施形態にしたがって、ビデオ・データのコンテンツが、どのようにスクリーンの通常領域とズームアウト領域に表示されるかを図示する概要図である。
【発明を実施するための形態】
【００１４】
本願発明をより詳細に述べる前に、本明細書を通して、同様の要素は、同じ参照番号で示すことに留意する。
【００１５】
図１を参照する。図１は、本願発明による電子デバイスの第１の好適な実施形態を示す。電子デバイスは、この実施形態において、ノート・パソコン１００として例示されている。このノート・パソコンは、１６００×６００のピクセルアレーを有するワイドスクリーン液晶ディスプレイ１０（以下、ディスプレイと呼ぶ）を備える。図１は、ディスプレイ１０の表示スクリーンの部分的ズームインあるいは拡大をコントロールするのに用いられるノート・パソコン１００の主回路ブロックを図示する。主回路ブロックは、ビデオ・データ・バッファ装置１１、ＣＰＵ１２、ビデオメモリ１３およびビデオ処理装置１４を含む。
【００１６】
ビデオ・データ・バッファ装置１１は、ＣＰＵ１２がデータにアクセスし、表示されるソース・ビデオ（イメージ）データが一時的に格納されるスペースであり、メインメモリまたはハードディスクであり得る。
【００１７】
ビデオメモリ（ビデオＲＡＭ、一般にＶＲＡＭと呼ばれる）１３が、表示するためにディスプレイ１０に送られるビデオ（イメージ）データを格納する。
【００１８】
ＣＰＵ１２に、部分的ズームインあるいは拡大ドライバと、部分的ズームイン・ドライバの実行を要求するコマンド入力アプリケーションとがロードされる。コマンド入力アプリケーションは、ユーザーが選択できるように、ディスプレイ１０のスクリーン上で、「部分的ズームイン」オプションを提供する。図２のステップ２１で示すように、「部分的ズームイン」オプションが選ばれるときには、コマンド入力アプリケーションは、ＣＰＵ１２が部分的ズームイン・ドライバを実行するのを可能にするために、ＣＰＵ１２に部分的ズームイン・コマンドを送る。従って、ステップ２２で、部分的ズームイン・ドライバが実行されると、ＣＰＵ１２は、最初に、ディスプレイ１０の一部のスクリーンをズームイン領域と、残りのスクリーンを通常領域と定義する。一般に、ズームイン領域は、ユーザーが標準的に見るであろう位置、すなわち、スクリーンの中央または中心部分の近くにある。さらに、ズームイン領域は、複数行を占めるものとして示される。言い換えると、ワープロ環境において、ズームイン領域で文字を大きくする目的で、ズームイン領域の文字が、通常領域の文字より少なくとも２倍大きくなるように、ズームイン領域はスクリーンの上で少なくとも２行を占める。
【００１９】
続いて、ステップ２３において、ＣＰＵ１２は、ディスプレイ１０の通常領域に表示されるビデオ・データを、ビデオ・データ・バッファ装置１１から読み出し、読み出されたビデオ・データを通常領域に対応するビデオメモリ１３の通常データ・メモリブロックに格納する。次に、ステップ２４が実行され、ＣＰＵ１２が、ズームイン領域に表示されるビデオ・データをビデオ・データ・バッファ装置１１から獲得し、獲得したビデオ・データのズームイン処理を実行して、ズーム処理したビデオ・データを、ズームイン領域に対応するビデオメモリ１３のズームデータ・メモリブロックに格納する。
【００２０】
そして、ステップ２５において、ビデオ処理装置１４が、ビデオメモリ１３の通常データ・メモリブロックとズームデータ・メモリブロックに格納されたビデオ・データを読み、その読んだビデオ・データを、表示するためにディスプレイ１０に送ると、ズーム処理したビデオ・データは、ディスプレイ１０の表示スクリーンのズームイン領域に示され、一方、通常領域に表示されたビデオ・データは、そのオリジナルのサイズで表示される。本願発明を、以下に例を用いて説明する。
【００２１】
図３を参照する。ディスプレイ１０の上のワープロ・ソフトによって生成される編集ウィンドウのスクリーン３０が、テキストコンテンツの５行だけを表示できると仮定すると、そのテキストコンテンツの５行は、図４に示すように、ビデオメモリ１３のメモリブロックに格納される。
【００２２】
しかしながら、ワイドスクリーン・ディスプレイ１０の隣接したピクセルの間のピッチは、従来の液晶ディスプレイと比較するともっと小さいので、スクリーン３０に示される文字はあまりに小さく、それゆえ、テキストを読んだり編集したりするのに影響を及ぼし得る。
ユーザーは、ＣＰＵ１２が部分的ズームイン・ドライバを実行できるように、部分的ズームインを選ぶためのコマンド入力アプリケーションにより提供される「部分的ズームイン」オプションを利用することができる。図５を参照する。スクリーン３０上の行３と行４は、ズームイン領域３１と定義され、残りが通常領域と定義される。ズームイン領域３１はスクリーン３０の実質的に中央の位置に提供されるので、通常領域は、上部通常領域３２（すなわち行１と行２）と下部通常領域３３（すなわち行５）に分けられる。ズームイン領域３１の目的は、そこに位置するテキスト（例えば「ＣＣＣＣ」）がズームインすなわち拡大されるようにすることである。さらに、ズームイン領域３１のテキストが上部通常領域３２のテキストと下部通常領域３３のテキストを覆い隠してしまわないように、当初、行４と行５に示されていたテキスト「ＤＤＤＤ」と「ＥＥＥＥ」を、テキスト「ＥＥＥＥ」がスクリーン３０から押し出されるように、１行下に動かす。この効果を達成するために、ＣＰＵ１２は、再度、上部通常領域３２（すなわち行１と行２）に表示されるビデオ・データ（すなわち「ＡＡＡＡ」と「ＢＢＢＢ」）をビデオ・データ・バッファ装置１１から読み、その読んだビデオ・データを、図６に示すように、ビデオメモリ１３の第１メモリブロック１３１に格納する。ＣＰＵ１２は、さらに、ズームイン領域３１（すなわち「ＣＣＣＣ」）に表示されるビデオ・データをビデオ・データ・バッファ装置１１から読み、その読まれたビデオ・データのズームイン処理を実行し、図６に示すように、ズーム処理したビデオ・データをビデオメモリ１３の第２メモリブロック１３２に格納する。ＣＰＵ１２はまた、下部通常領域３３（すなわち「ＤＤＤＤ」）に表示するビデオ・データをビデオ・データ・バッファ装置１１から読み、その読まれたビデオ・データをビデオメモリ１３の第３メモリブロック１３３に、図６で示すように、格納する。第１、第２、第３メモリブロック１３１、１３２、１３３は、ビデオメモリ１３の連続的な位置に順番に配列される。言い換えると、第１メモリブロック１３１と第３メモリブロック１３３は、通常のビデオ・データを格納するための通常データ・メモリブロックである。
【００２３】
このように、ビデオ処理装置１４が、ビデオ・データを、ビデオメモリ１３の第１、第２、第３メモリブロック１３１、１３２、１３３から読み、表示するためにディスプレイ１０にこれを送ると、図７に示すように、拡大された形のビデオ・データ「ＣＣＣＣ」は、ディスプレイ１０上の編集ウィンドウのスクリーン３０のズームイン領域３１に表示され、ビデオ・データ「ＡＡＡＡ」、「ＢＢＢＢ」と「ＤＤＤＤ」が、それぞれ上部および下部通常領域３２に、その通常形式で表示される。
【００２４】
加えて、現在のスクリーン３０上でカーソル８０（図７を参照）が最終行（すなわち行５（テキストの第４行））にあるとき、ユーザーがカーソル８０を１つ下の行に動かすと、ＣＰＵ１２は、再度、ビデオ・データ・バッファ装置１１から対応するビデオ・データを読み出し、読み出した、または、読み出してズーム処理したビデオ・データをビデオメモリ１３の第１、第２、第３メモリブロック１３１、１３２、１３３に格納することによってリアルタイムにビデオメモリ１３に格納されたビデオ・データを、図８に示すように、更新し、従って、図９に示すように、カーソル８０が現在ある行のテキスト「ＥＥＥＥ」が、スクリーン３０に現れ、一方、テキスト行「ＡＡＡＡ」の第１行がスクリーン３０から押し出される。同時に、カーソル８０がある行のすぐ上のテキスト行「ＤＤＤＤ」の行は、ズームイン領域３１へ移動して、拡大される。
【００２５】
したがって、上記のメカニズムによって、ユーザーが閲覧、又は、編集しているテキストコンテンツは、ユーザーがテキスト編集作業あるいは操作を実行するのを助けるために、ディスプレイ１０のスクリーン３０を介して、タイムリーに拡大することができる。ディスプレイ１０が、比較的高解像度を有する液晶ディスプレイであるならば特に効果的である。
【００２６】
本願発明による電子デバイスの第２の好適な実施形態において、その回路ブロックは、第１の好適な実施形態のものとほぼ同一である。唯一の違いは、ＣＰＵ１２が、部分的ズームイン機能を、部分的ズームイン・ドライバを実行する代わりに部分的ズームイン・アプリケーションを実行することによって、実行することである。スクリーン上に示される一部の内容を拡大するために、部分的ズームイン・アプリケーションによって実行されるプロセスは、図１０を参照して、実施例として以下に詳細に記述される。
【００２７】
この実施形態においても、図３に示されるスクリーン３０上のテキスト行「ＣＣＣＣ」を拡大することが望ましいとするならば、図１０のステップ１０１において、部分的ズームイン・アプリケーションが「部分的ズームイン・コマンド」を受信すると、ステップ１０２において、図５に示すように、スクリーン３０の行３と行４は、ズームイン領域３１と定義され、スクリーン３０の残りは通常領域（上部通常領域３２と下部通常領域３３を含む）と定義される。
【００２８】
続いて、ステップ１０３において、ＣＰＵ１２は、ビデオ・データ・バッファ装置１１から、上部通常領域に表示されるビデオ・データ３２（すなわち行１と行２）（すなわち「ＡＡＡＡ」と「ＢＢＢＢ」）を読み、図１１、に示すように、読まれたビデオ・データを、ビデオメモリ１３の第１メモリブロック１１１に格納し、更に、下部通常領域３３に表示したビデオ・データすなわち「ＤＤＤＤ」を、ビデオ・データ・バッファ装置１１から読み、読んだビデオ・データをビデオメモリ１３の第２メモリブロック１１２に格納する。その後、ステップ１０４において、ＣＰＵ１２は、ズームイン領域３１に表示されるビデオ・データ（すなわち「ＣＣＣＣ」）を、ビデオ・データ・バッファ装置１１から読み、読んだビデオ・データのズームイン処理を実行して、ズーム処理したビデオ・データを、ビデオメモリ１３のズームデータ・メモリブロック１１３に、図１１に示すように格納する。さらに、ステップ１０５において、ズームイン領域３１に表示されるウィンドウ・データは、ビデオメモリ１３の第３メモリブロック１１４に格納される。第１メモリブロック１１１と第２メモリブロック１１２は、連続して配置されない、しかし、ビデオメモリ１３の異なる領域に、ズームデータ・メモリのサイズと等しいサイズ１１３の空白メモリスペース１１５をその間にはさんで、順番に配置される。第３メモリブロック１１４とズームデータ・メモリブロック１１３は、第２メモリブロック１１２の後ろに、順番に配置される。
【００２９】
したがって、ステップ１０６において、ビデオ処理装置１４が、ビデオ・データを、第１メモリブロック１１１、空白メモリスペース１１５、第２メモリブロック１１２から順番に読み、読んだビデオ・データをディスプレイ１０に送るように、ＣＰＵ１２によってコントロールされると、図１２に示すように、通常のサイズのビデオ・データ「ＡＡＡＡ」、「ＢＢＢＢ」と「ＤＤＤＤ」は、それぞれ、上部通常領域３２（すなわち行１と行２）と下部通常領域３３（すなわち行５または第４のテキスト行）で対応して表示され、空白スペースは、行２と行５の間のズームイン領域３１（すなわち行３と行４）に表示される。図１３に示すように、続いて、ビデオ処理装置１４が、ビデオメモリ１３の第３メモリブロック１１４のウィンドウ・データを読むと、ズームイン・ウィンドウ１２４が生成されて、ズームイン領域３１に空白スペースに重なる。ビデオ処理装置１４が、ズーム処理したビデオ・データ「ＣＣＣＣ」を、ビデオメモリ１３のズームデータ・メモリブロック１１３から続けて読み、ディスプレイ１０にそれを送ると、ズーム処理したビデオ・データ「ＣＣＣＣ」は、ズームイン・ウィンドウ１２４に表示される。
【００３０】
同様に、図７と８に示すように、カーソル８０が最終行すなわち行５にあるときには、ユーザーが、カーソル８０を１行下に動くようにコントロールすると、ＣＰＵ１２は、再度、ビデオ・データ・バッファ装置１１から対応するビデオ・データを読み出し、読み出されたビデオ・データを、ビデオメモリ１３の第１および第２メモリブロック１１１、１１２に格納し、読み出されてズーム処理したビデオ・データ（「ＤＤＤＤ」）を、ズームデータ・メモリブロック１１３に格納することによって、図１１に示すように、ビデオメモリ１３に格納されるビデオ・データを、リアルタイムに更新する。これにより、図９に示すように、カーソル８０が現在ある行のすぐ上の、ズームイン・ウィンドウ１２４に示され拡大されているテキスト行「ＤＤＤＤ」とともに、カーソル８０が現在位置する次のテキスト行「ＥＥＥＥ」がスクリーン３０に現れることになり、一方、第１のテキスト行「ＡＡＡＡ」がスクリーン３０から押し出される。
【００３１】
同じ様に、ユーザーがズームイン・ウィンドウ１２４のテキスト行の終わりに到達し、次の行の始めに進むと、当初ズームイン・ウィンドウ１２４に拡大されていたテキストは、直ちに、１行上に移動され、通常のタイプサイズに戻される。一方で、ズームイン・ウィンドウ１２４に新しく入力されるテキスト行は、ＣＰＵ１２によって拡大される。言い換えると、ズームイン・ウィンドウ１２４は、スクリーン３０上の行３と行４の位置に固定されており、ズームイン・ウィンドウ１２４に入力されるすべてのテキストが拡大される。
【００３２】
加えて、この実施形態においては、ズームイン・ウィンドウ１２４を設けることは、表示する際にビデオ処理装置１４が、ズーム処理したビデオ・データを、ディスプレイ１０の正確な位置に送るのに役立つのであるが、ズームイン・ウィンドウ１２４は、絶対不可欠なものではないことに留意する。ズームイン・ウィンドウ１２４なしでも、ズーム処理したビデオ・データは、直接ズームイン領域３１（空白スペース）上にスーパーインポーズして表示することができるのである。
【００３３】
従って、第２の好適な実施形態の部分的ズームイン・アプリケーションによって、ユーザーが閲覧、又は、編集しているテキストコンテンツは、タイムリーに拡大されて、ユーザーがディスプレイ１０のスクリーン３０を介してテキスト編集作業あるいは操作を実行するのに役立つことができる。ディスプレイ１０が、比較的高解像度を有する液晶ディスプレイであるならば特に効果的である。
【００３４】
図１４は、本願発明による電子デバイスの第３の好適な実施形態を表す。電子デバイスのディスプレイ１０のサイズが十分に大きくない場合には、図１５に示すように、ディスプレイ１０上に生成されるスクリーン４０は、通常の表示条件の下で、それぞれが５つの文字を含む５つのテキスト行だけしか表示できない。５つのテキスト行は、図１６に示されるビデオメモリ１３のメモリブロックに、それぞれ格納される。しかしながら、ビデオ・データ・バッファ装置１１で格納されているディスプレイ１０上に表示されるテキストは、実際には、それぞれの行が８文字を含んでおり、６行を占めるとする。ビデオメモリ１３は、スクリーン４０に対応する一部のビデオ・データ、例えば、各表示行の最初の５文字を格納することしかできないので、ユーザーは、テキストの行全体を見ることができず、その行のテキストの残りを見ることができるようにするためには、図１８に示すように、左右にスクロールする必要がある。
【００３５】
この欠点を克服するために、第１あるいは第２の実施形態の部分的ズームイン機能を有することの他に、第３の実施形態は、ユーザーが見ているディスプレイ１０のスクリーン上に表示される行のすべての文字が縮小できるようにして、付加的なユーザー操作を必要とすることなく、ディスプレイ１０のスクリーン上に全体を表示できるようにするために、部分的なズームアウトすなわち縮小機能をさらに有する。
【００３６】
従って、図１４を参照すると、この実施形態が、第１の実施形態と相違する点は、ＣＰＵ１２が、部分的ズームイン・ドライバを持つことを除いて、更に、部分的ズームアウト・ドライバおよび部分的ズームイン・ドライバと部分的ズームアウト・ドライバのうちの１つの実行を要求するためのコマンド入力アプリケーションを含むことである。
【００３７】
コマンド入力アプリケーションは、ディスプレイ１０のスクリーン上に、「部分的ズームイン」オプションと「部分的なズームアウト」オプションを、ユーザーが選択できるように提供することができる。図１９のステップ１５１に示すように、「部分的なズームアウト」オプションが選択されると、コマンド入力アプリケーションは、ＣＰＵ１２に部分的ズームアウト・コマンドを送り、ＣＰＵ１２が部分的ズームアウト・ドライバを実行するのを可能にする。従って、部分的ズームアウト・ドライバが実行されると、ステップ１５２において、ＣＰＵ１２は、最初に、図２０に示すように、ディスプレイ１０の一部のスクリーン４０をズームアウト領域１９１と、残りのスクリーン４０を通常領域と定義する。一般に、ズームイン領域１９１は、ユーザーが標準的に見るであろう位置、すなわち、スクリーンの中央または中心部分の近くにある。この実施形態のズームアウト領域１９１は、実質的に中央の位置に提供され、１行（例えば第３行）を占めるものとして表示される。ただし、それに制限されるものではない。ズームアウト領域１９１のサイズは、実際の必要条件に従い大きくすることができる。従って、通常領域は、ズームアウト領域１９１によって上部通常領域１９２（すなわち第１行と第２行）と下部通常領域１９３（すなわち第４行と第５行）とに分けられる。ズームアウト領域１９１のテキストは適切に縮小して、例えば、原文の半分のサイズに縮小することができる。したがって、より多くの文字を、ズームアウト領域１９１に表示することができる。
【００３８】
そのような効果を達成するために、ステップ１５３と１５４において、ＣＰＵ１２は、再度、ディスプレイ１０のスクリーン４０上の上部通常領域に表示されるビデオ・データ１９２すなわち「ＡＡＡＡＡ」と「ＢＢＢＢＢ」（通常の表示条件下では、第１行および第２行の各々最初の５つの文字だけが表示される）を、図１７で示すビデオ・データ・バッファ装置１１から読み、読まれたビデオ・データを、図２１に示すように、上部通常領域１９２に対応したビデオメモリ１３の第１の通常データ・メモリブロック２１１に格納する。ＣＰＵ１２は、さらに、ズームアウト領域１９１（第３行）に表示されるビデオ・データすなわち「ＣＣＣＣＣ３３３」（テキスト行全体を、文字のサイズの縮小により、表示することができる）を、ビデオ・データ・バッファ装置１１から読み、読んだビデオ・データのズームアウト処理を実行し、ズーム処理したビデオ・データを、ビデオメモリ１３の第２メモリブロック２１２に格納する。ＣＰＵ１２はまた、下部通常領域に表示されるビデオ・データ１９３すなわち「ＤＤＤＤＤ」と「ＥＥＥＥＥ」をビデオ・データ・バッファ装置１１から、読み、その読まれたビデオ・データを、図２１に示すように、ビデオメモリ１３の第３メモリブロック２１３に格納する。第１、第２、第３メモリブロック２１１、２１２、２１３は、連続的な位置に、順番に、ビデオメモリ１３に配列される。言い換えると、第１メモリブロック２１１と第３メモリブロック２１３は、通常のビデオ・データを格納するための通常データ・メモリブロックである。
【００３９】
このように、ステップ１５５において、ビデオ処理装置１４が、図２１に示される第１、第２、第３メモリブロック２１１、２１２、２１３から順番にビデオ・データを読んで、その読んだビデオ・データを表示するために、図２２に示すように、ディスプレイ１０に送るときに、縮小形式のビデオ・データ「ＣＣＣＣＣ３３３」の全体行が、ズームアウト領域１９１に表示され、ビデオ・データ「ＡＡＡＡＡ」、「ＢＢＢＢＢ」、「ＤＤＤＤＤ」、「ＥＥＥＥＥ」は、上部および下部通常領域１９２、１９３に、その通常形式で表示される。
【００４０】
同様に、現在のスクリーン３０上でカーソル８０（図２２を参照）が最終行、すなわち行５にあるときに、ユーザーがカーソル８０を１つ下の行に動かすと、ＣＰＵ１２は、再度、ビデオ・データ・バッファ装置１１から対応するビデオ・データを読み出し、読み出した、または、読み出してズーム処理したビデオ・データを、第１、第２、第３メモリブロック１３１、１３２、１３３に格納することによって、リアルタイムにビデオメモリ１３に格納されたビデオ・データを更新する。従って、図２４に示すように、第１のテキスト行「ＡＡＡＡＡ」がスクリーン４０から押し出され、新しいテキスト「ＦＦＦＦＦ」が、スクリーン４０の最終行に現れ、縮小形式の全てのテキスト行「ＤＤＤＤＤ４４４」が、スクリーン４０のズームアウト領域１９１に表示されるように、スクリーン４０上に表示されるすべてのビデオ・データが、１行上に動かされる。
【００４１】
したがって、上記のメカニズムによって、ユーザーが見ているテキスト内容は、ユーザーが、上下にスクロールすることによって全てのテキストコンテンツ全体の行を見ることができるように、タイムリーに縮小されることができる。テキストコンテンツ全体の行を見るために、左方にスクロールする必要はない。
【００４２】
図２５は、本願発明による電子デバイスの第４の好適な実施形態を図示する。この実施形態の回路ブロックは、第３の実施形態のものと、ほぼ同一である。唯一の違いは、ＣＰＵ１２が、部分的ズームアウト機能を、部分的ズームアウト・ドライバを実行する代わりに、部分的ズームアウト・アプリケーションを実行することによって、部分的なズームアウト機能を実行することである。スクリーン上に示される一部のコンテンツを縮小する部分的なズームアウト・アプリケーションによって実行されるプロセスを、実施例として以下に詳細に記述する。
【００４３】
図１５に示すスクリーン４０上のテキスト行「ＣＣＣＣ」を縮小することが望ましい場合もまた、図２５のステップ２５１において、部分的なズームアウト・アプリケーションが「部分的ズームアウト・コマンド」を受信すると、ステップ２５２において、図２０に示すように、スクリーン４０の行３がズームアウト領域１９１と定義され、残りのスクリーン４０が通常領域（上部および下部通常領域１９２、１９３を含む）と定義される。
【００４４】
続いて、ステップ２５３において、ＣＰＵ１２は、上部通常領域（すなわち行１と行２）に表示されるビデオ・データ１９２（すなわち「ＡＡＡＡＡ」ＡＮＤ「ＢＢＢＢＢ」）を、図１７のビデオ・データ・バッファ装置１１から読み、その読んだビデオ・データを、図２６で示すように、ビデオメモリ１３の第１メモリブロック２６１に格納し、更に、下部通常領域に表示されるビデオ・データ１９３すなわち「ＤＤＤＤＤ」と「ＥＥＥＥＥ」を、ビデオ・データ・バッファ装置１１から読み、その読んだビデオ・データを、ビデオメモリ１３の第２メモリブロック２６２に格納する。その後に、ステップ２５４において、ＣＰＵ１２は、ズームアウト領域１９１に表示されるビデオ・データすなわち「ＣＣＣＣＣ３３３」を、ビデオ・データ・バッファ装置１１から読み、読んだビデオ・データのズームアウト処理を実行し、ズーム処理したビデオ・データを、図２６に示すようにビデオメモリ１３のズームデータ・メモリブロック２６３に格納する。さらに、ステップ２５５において、ズームアウト領域１９１に表示されるウィンドウ・データが、ビデオメモリ１３の第３メモリブロック２６４に格納される。第１メモリブロック２６１と第２メモリブロック２６２は、隣接して配置されない。しかし、ビデオメモリ１３の異なる領域に、ズームデータ・メモリ２６３のサイズと等しいサイズの空白メモリスペース２６５をその間にはさんで、順番に配置される。第３メモリブロック２６４とズームデータ・メモリブロック２６３は、第２メモリブロック２６２の後ろに、順番に配置される。
【００４５】
したがって、ステップ２５６において、ビデオ処理装置１４が、ビデオ・データを、ビデオメモリ１３の第１メモリブロック２６１と、空白メモリスペース２６５と、第２メモリブロック２６２から、順番に読み、読んだビデオ・データをディスプレイ１０に送るように、ＣＰＵ１２によってコントロールされると、図２７に示すように、通常のサイズのビデオ・データ「ＡＡＡＡ」、「ＢＢＢＢ」、「ＤＤＤＤ」、「ＥＥＥＥＥ」は、それぞれ、上部通常領域１９２（すなわち行１と行２）と下部通常領域１９３（すなわち行４と行５）に表示され、空白スペースは、ズームアウト領域１９１（すなわち行３）に形成される。図２６に示すように、続いて、ビデオ処理装置１４が、ビデオメモリ１３の第３メモリブロック２６４のウィンドウ・データを読み、図２８で示すように、その読んだビデオ・データをディスプレイ１０に送ると、ズームアウト・ウィンドウ２７２が生成されて、ズームアウト領域１９１の空白スペースに重なる。ビデオ処理装置１４が、ズーム処理したビデオ・データ「ＣＣＣＣＣ３３３」を、図２６のビデオメモリ１３のズームデータ・メモリブロック２６３から続けて読み、その読んだビデオ・データをディスプレイ１０に送ると、ズーム処理したビデオ・データは、ズームアウト・ウィンドウ２７２に、全体を表示することができる。
【００４６】
同様に、図２２と図２４に示すように、カーソル８０が最終行すなわち行５にあるときには、ユーザーが、カーソル８０を１行下に動くようにコントロールすると、ＣＰＵ１２は、ビデオメモリ１３に格納されるビデオ・データを、再度、図１７に示されるビデオ・データ・バッファ装置１１から対応するビデオ・データを読み出し、読み出したビデオ・データを第１および第２メモリブロック２６１、２６２に、読み出してズーム処理したデータを図２６に示されるビデオメモリ１３のズームデータ・メモリブロック２６３に格納することによって、スクリーン４０上のすべてのビデオ・コンテンツが、１行上に動くように、リアルタイムに更新し、その結果、図２３に示すように、第１のテキスト行「ＡＡＡＡＡ」が、スクリーン４０から押し出され、新しいテキスト行「ＦＦＦＦＦ」が、最終行に現れ、ズーム処理したデータ「ＤＤＤＤＤ４４４」が、スクリーン４０上のズームアウト領域１９１に表示される。
【００４７】
加えて、この実施形態においては、ズームアウト・ウィンドウ２７２を設けることは、表示する際に、ビデオ処理装置１４によってズーム処理したビデオ・データを、ディスプレイ１０の正確な位置に送ることに役立つのであるが、ズームアウト・ウィンドウ２７２は絶対不可欠なものではないことに留意する。ズーム処理したビデオ・データは、ズームアウト・ウィンドウ２７２なしでも、直接ズームアウト領域１９１（空白スペース）上にスーパーインポーズして表示することができるのである。
【００４８】
従って、第４の実施形態の部分的なズームアウト・アプリケーションによって、ユーザーが見ているテキストコンテンツは、単に上下にスクロールだけで、タイムリーに縮小することができ、ユーザーが、スクリーン４０上で全てのテキスト行を見ることができるようにすることができる。スクリーン４０上に全てのテキスト行を見るために、左方にスクロールする必要はない。
【００４９】
本願発明を、最も実用的であり、好適な実施形態と考えられるものとの関連において説明したが、本発明は、開示された実施形態に限られるものではなく、広い解釈における範囲及び意図を含んだ、さまざまな構成を有し、そのような変更された構成や同等の構成おも含む。
【図１】
2010039491.tif 000003
【図２】
2010039491.tif 000004
【図３】
2010039491.tif 000005
【図４】
2010039491.tif 000006
【図５】
2010039491.tif 000007
【図６】
2010039491.tif 000008
【図７】
2010039491.tif 000009
【図８】
2010039491.tif 000010
【図９】
2010039491.tif 000011
【図１０】
2010039491.tif 000012
【図１１】
2010039491.tif 000013
【図１２】
2010039491.tif 000014
【図１３】
2010039491.tif 000015
【図１４】
2010039491.tif 000016
【図１５】
2010039491.tif 000017
【図１６】
2010039491.tif 000018
【図１７】
2010039491.tif 000019
【図１８】
2010039491.tif 000020
【図１９】
2010039491.tif 000021
【図２０】
2010039491.tif 000022
【図２１】
2010039491.tif 000023
【図２２】
2010039491.tif 000024
【図２３】
2010039491.tif 000025
【図２４】
2010039491.tif 000026
【図２５】
2010039491.tif 000027
【図２６】
2010039491.tif 000028
【図２７】
2010039491.tif 000029
【図２８】
2010039491.tif 000030
【外国語明細書】
2010039491000001.pdf